(57)【要約】【課題】  自動精米装置で自動的に一定時間にわたる精米、及び研米が行われる形態では、小さく狭い建屋内部に各種の装置が配置され過密的配置構成となって、メンテナンス性等が阻害される。【解決手段】  精米及び研米可能な精米装置１１の排出経路側に、未精米及び未研米を初期循環させるための初期循環米のチャージタンク１４を設け、玄米ホッパー４から搬送される玄米を精米タンク１２で受けて精米装置１１へ供給して精米を行い、精米初期の循環精白米を少量宛てチャージタンク１４内に貯留させ、精米の後に研米処理を行なう場合は、精米装置１１から排出される白米をこのチャージタンク１４内に貯留させ、精米作用が完了すると研米処理に切替えて貯留白米を精米タンク１２へ還元させて研米作用を行なわせる。【選択図】  図１
2005262102.tif 000002
【特許請求の範囲】
【請求項１】
精米室を複数回循環して玄米を精米し及び研米する精米装置１１を備える自動精米装置において、循環経路の途中にチャージタンク１４を設け、精米装置１１の排出経路側にチャージタンク側又は製品ホッパ側に切換える切替手段を設け、精米及び研米の初期は未精米及び未研米をチャージタンク側に切り替え、初期循環の精米及び研米を一時貯留するよう構成し、精米及び研米終了行程で精米及び研米を精米室に戻す構成とした自動精米装置。
【請求項２】
所定のコインを操作盤に投入することによって自動的に一定時間にわたる精米及び研米を行うよう構成し、前記チャージタンク１４は、玄米ホッパーの収容量あるいはコインの所定単価当たり精米全量を貯留可能の容量に設定したことを特徴とする請求項１に記載の自動精米装置。
【請求項３】
研米終了行程で研米を精米室に戻す場合であって、前記チャージタンクからの研米繰出時期は、精米タンク１２から精米装置１１への白米供給が完了した時から、このチャージタンク１４の研米が精米装置１１へ循環供給されるまでに要する所定時間を経過して後としたことを特徴とする請求項１、又は２に記載の自動精米装置。
【請求項４】
前記所定時間は、玄米供給量、又は利用料金等に応じて変更可能に設けたことを特徴とする請求項３に記載の自動精米装置。
【発明の詳細な説明】
【技術分野】
【０００１】
この発明は、ボタン操作で精米と研米とを選択的に切替えて行わせる研米機能付きの自動精米装置に関し、精米及び研米を一時貯留するチャージタンクを共用化し単一構成として簡単化するものである。
【背景技術】
【０００２】
同じ精米装置を用いて、精米作用と、この精白米を循環供給しながら研米を行なう技術や、チャージタンクを玄米用と白米用との複数配置する技術が知られている（例えば、特許文献１参照）。又、精米作業終了直前に、予め貯留していた精白米を精米室へ追加供給して、精米押出圧力を高めながら精白し未精米の発生を防止する技術が知られている（例えば、特許文献２参照）。
【特許文献１】特公平８−２４８５１号公報（第３頁、図１）
【特許文献２】特許第２７９８０７９号公報（第２頁、図１）
【発明の開示】
【発明が解決しようとする課題】
【０００３】
自動精米装置では、所定のコインを操作盤に投入することによって、自動的に一定時間にわたる精米、及び研米が行われる形態が一般的であるが、小さく狭い簡易組立ハウス形態の建屋内部に各種の作用行程の装置が配置された過密的な配置構成となって、メンテナンス性等が阻害され易い。しかも、精白米を貯留するチャージタンクが、精米装置の上方に配置される形態では、これに伴って高揚程の昇降機等の増設を要して、一層煩雑化されることとなる。
【課題を解決するための手段】
【０００４】
請求項１に記載の発明は、精米室を複数回循環して玄米を精米し及び研米する精米装置１１を備える自動精米装置において、循環経路の途中にチャージタンク１４を設け、精米装置１１の排出経路側にチャージタンク側又は製品ホッパ側に切換える切替手段を設け、精米及び研米の初期は未精米及び未研米をチャージタンク側に切り替え、初期循環の精米及び研米を一時貯留するよう構成し、精米及び研米終了行程で精米及び研米を精米室に戻す構成としたものである。玄米ホッパー４から搬送される玄米を精米タンク１２で受けて精米装置１１へ供給して精米を行う。精米処理のみでは、精米初期の精白米を少量宛てチャージタンク１４内に貯留させてから精米タンク１２へ還元させて循環させる。その他の精白米は製品ホッパー５へ取出す。又、この精米最終行程の白米は、チャージタンク１４に切替えて貯留させてから精米タンク１２へ戻して循環精米しながら製品ホッパー５へ取出すことができる。
【０００５】
又、精米の後に研米処理を行なう場合は、精米処理行程の精米初期の精白米をチャージタンク１４を介して精米タンク１２へ循環供給して精白むらをなくすると共に、その後のチャージタンク１４の繰出バルブ１５の回転を停止して、精米装置１１から排出される白米をこのチャージタンク１４内に貯留させる。精米作用が完了すると研米処理に切替えてこのチャージタンク１４の繰出バルブ１５を駆動して、このチャージタンク１４内の貯留白米を精米タンク１２へ還元させて研米作用を行なわせると共に、この研米は製品ホッパー５へ取出すものである。又この研米の最終行程では、一部の研米をチャージタンク１４を介して精米ホッパー５へ還元させて研米処理のむらをなくすることができる。
【０００６】
請求項２に記載の発明は、所定のコインを操作盤に投入することによって自動的に一定時間にわたる精米及び研米を行うよう構成し、前記チャージタンク１４は、玄米ホッパーの収容量あるいはコインの所定単価当たり精米全量を貯留可能の容量に設定したことを特徴とするものである。精米、又は研米作用は前記のようにして行われるが、このチャージタンク１４の容量は、最大限に玄米タンクから供給される精米目標量の全量を収容しうるものであるから、この精米全量を研米する場合に一回の切替えで精米をチャージタンク１４に供給させたり、研米行程に切替えることができる。
【０００７】
請求項３に記載の発明は、研米終了行程で研米を精米室に戻す場合であって、前記チャージタンクからの研米繰出時期は、精米タンク１２から精米装置１１への白米供給が完了した時から、このチャージタンク１４の研米が精米装置１１へ循環供給されるまでに要する所定時間を経過して後としたことを特徴とする。
【０００８】
従って、前記のように精米及び研米処理を行うときは、精白米の一部、又は全部をチャージタンク１４に貯留して繰出バルブ１５によって繰出して精米装置１１へ還元させるが、このうち研米処理の際の研米繰出しの時期は、白米の精米装置１１への供給が終ったことが判断された時から、所定時間を経過して後として継続的に循環供給される。この時間内はたとえ精米装置１１内に供給米がない状態であっても精米作用は停止されない。そして、この所定時間を経過するとチャージタンク１４の研米が還元されて精米装置１１へ循環供給される。
【０００９】
請求項４に記載の発明は、前記所定時間は、玄米供給量、又は利用料金等に応じて変更可能に設けたことを特徴とするものである。精米や研米は、玄米の供給量や、利用料金等によって異なるため、前記チャージタンク１４から精米装置１１へ循環供給する時間も長短に変化する。このため、精米時に設定される玄米の供給量や、この精米等のために投入される利用料金等によって、前記チャージタンク１４から繰出される白米の繰出供給時間である所定時間を、これら玄米供給量や、利用料金等に応じて変更して調節制御する。
【発明の効果】
【００１０】
請求項１に記載の発明は、精米装置１１で精米処理、及び研米処理を行うときは、この精米装置１１から排出された精米、及び研米の全部乃至一部を単一のチャージタンク１４を介して貯留、乃至繰出還元させて、循環精米、及び研米作用を行わせることができるため、チャージタンク１４の共用化で構成を簡単にできる。
【００１１】
請求項２に記載の発明は、チャージタンク１４の容量は大きく形成されるが、単一化できるため、この繰出バルブ１５や、精米昇穀機１０等と併せて共用化できる。又、循環精米から初期循環研米にそのまま移行でき、処理効率化を図ることができる。
【００１２】
請求項３に記載の発明は、チャージタンク１４内の白米を研米するために精米装置１１へ循環させるときは、玄米が精米装置１１への供給が完了したことを下限センサ２６等で検出した後から所定時間の経過したことによって繰出バルブ１５の停止制御を行わせるものであるから、チャージタンク１４の白米が所定量以下であるか、否か等を検出するための特別のセンサを不要として簡単化できる。
【００１３】
請求項４に記載に発明は、前記のようなチャージタンク１４から白米の繰出時期として設定される所定時間が、精米されるときに予め設定供給される玄米供給量や、利用料金等に応じて変更調節制御されるため、少量研米、標準研米に応じたマスキング時間（不作動時間）に設定することができ、その開始時期が適正に設定される。
【発明を実施するための最良の形態】
【００１４】
図面に基づく実施例について、所定量の精米用玄米と、これに要するコインとを供給して自動的に精米、乃至研米する自動精米機は、精米、及び研米のための各種の機材を収容する機械室１と、仕切壁２で仕切られる操作室３とを形成の小さな簡易組立ハウス形態の精米ハウスＨの構成としている。この仕切壁２には玄米を投入する玄米ホッパー４と、精米乃至研米された白米を受けて取出す製品ホッパー５、及び精米、研米作用を設定したり、コインを投入して精米運転操作を行うためのコインロールボックスを有した操作盤６等が配置される。この機械室１には、前記玄米ホッパー４の玄米を繰出す繰出バルブ７が設けられ、石抜昇降機８に連設される。この石抜昇降機８は石抜作用を行う石抜装置９にのぞませる。この石抜装置９は玄米中の砂礫類や異物等を選別除去する。この石抜装置９を経て流下された玄米は、モータＭ２で駆動される精米昇降機１０を上昇されて、精米装置１１上部の精米（玄米）タンク１２に供給できる。精米装置１１は前記製品ホッパー５の奥側上部に配置されて、この精米室口１３から押出される白米を正面下の製品ホッパー５へ流下させたり、この横側のチャージタンク１４へ流下させることができる。このチャージタンク１４は底部にモータＭ３で駆動される繰出バルブ１５を有して、この回転によってチャージタンク１４内の白米を前記精米昇降機１０へ流して、精米タンク１２へ還元供給することができる。
【００１５】
前記精米装置１１は、モータＭ１によって駆動される精米転子１６を軸装し、外周に精米網１７を有する精米室１８内に構成される。この精米転子１６の基部にはオーガ部１９が形成されて、前記精米タンク１２から流入される玄米を受けて精米室１８の精米室口１３へ押出す。この精米室口１３には抵抗板２０がウエイト２１等によって閉鎖されるように弾発して設けられ、精米転子１６の回転によって精米室１８内の玄米を移送して摩擦しながら、この抵抗板２０の圧力に抗して押出すことによって精米するものである。このウエイト２１は、抵抗板２０の上部軸２２から突出されるアーム２３に対して前後移動調節して、この抵抗板２０の精米室口１３を閉鎖する圧力を変えて精米度合を決めることができる。又、このウエイト２１に拘らず抵抗板２０を全開（無抵抗）状態とすることによって、精米作用を殆んどなくして研米作用を行わせることができる。この精米室口１３の下側には前記製品ホッパー５へ流下案内するシューター２４が設けられる。このシュータ２４の途中には切替弁２５が設けられて、流下する白米をチャージタンク１４内へ案内することができる。
【００１６】
そして、精米作用は、該抵抗板２０を閉鎖状態にしておいて、精米昇降機１０から玄米を精米タンク１２へ供給することによって行わせることができ、研米作用は、この精米された後の白米をチャージタンク１４へ貯留しておき、精米作用後に抵抗板２０を開放させた状態として、このチャージタンク１４内の白米を繰出バルブ１５の駆動で繰出して、精米昇降機１０を経て精米タンク１２へ還元供給させることによって行わせる。
【００１７】
一度に玄米供給されて精米できる量は、玄米ホッパー４に対する玄米の供給量や、操作盤６に対するコイン量等によって制限されるが、研米は精米全量を行われることがあるため、白米を貯留するチャージタンク１４の容量を、この玄米最大供給量に相当する精米全量を貯留可能の容量として設定している。例えば、３０ｋｇ詰め袋の玄米を収容できる容量に設定している。又、前記精米タンク１２には、このタンク１２内の玄米が精米室１８内へ供給されて、殆んどなくなった状態を検出する下限センサ２６が設けられ、この下限センサ２６の検出によって、研米終了時の循環白米の循環供給の開始タイミングを判別させるための基準とするものである。
【００１８】
精米、及び研米作用は、操作盤６からの設定乃至指定によって行われるが、精米作用時は、抵抗板２０が精米室口１３を閉鎖した状態にあり、所定の精米押出抵抗を与えている。玄米ホッパー４から供給された玄米が、石抜昇降機８や石抜装置９、及び精米昇降機１０等を経て精米タンク１２に供給されると、この下限センサ２６がＯＮされると共に、この精米装置１１の精米室１８で精米されて精米室口１３からシュータ２４へ押出される。このとき、精米開始時から約３０秒間は、切替弁２５が精白米をシュータ２４からチャージタンク１４内へ流下するように切替えられており、繰出バルブ１５が駆動されている。このため精米開始時は精米室１８内の精米圧が低いために未精米の粒を生じてチャージタンク１４へ回収されて再び精米タンク１２へ還元されることによって精米させることができる。この精米開始後３０秒を経過すると繰出バルブ１５の回転が停止される。この回転停止後約１５秒後に切替弁２５が切替えられて、シュータ２４を流下する白米を製品ホッパー５へ流出させる。このようにして、精米装置１１によって精米された白米は、製品ホッパー５へ取出されて袋詰Ａ等の処理が行われる。
【００１９】
精米終了の際、精米タンク１２内の玄米が全て精米室１８内へ供給されると下限センサ２６がＯＦＦとなり、チャージタンク１４の繰出バルブ１５を一定時間駆動する。前記繰出バルブ１５の停止によって約１５秒間にわたって貯留されていたチャージタンク１４の白米が、昇降機１０を経て精米タンク１２へ循環白米として還元供給されて、精米室１８内の残米を押出して、精米させるものである。このとき、精米タンク１２の玄米が減少して下限センサ２６がＯＦＦとなっても所定時間内は精米制御は停止されないで精米作用が継続可能の状態にある。この所定時間（マスキング時間）は、該下限センサ２６がＯＦＦとなる約５秒前から開始されて、チャージタンク１４の白米が循環白米として再度精米装置１１へ還元供給されるまでに要する時間と略相当する時間長さに設定されていて、この所定時間内は、下限センサ２６がＯＦＦとなっても、このＯＦＦを無視して精米制御を継続するものである。このため、チャージタンク１４の白米がブリッジ現象等で繰出し遅れを生じたり、繰出バルブ１５から精米昇降機１０等にわたる搬送経路における搬送遅れ等があっても、未精米粒を精米室１８に残留させた状態のまま精米作用を停止することをなくするものである。
【００２０】
前記所定時間（マスキング時間）は、精米制御の不作動時間として設定されるもので、玄米タンク１２の下限センサ２６がＯＦＦになって玄米がなくなったことを検出しても、これを無視して精米制御の運転を維持継続させるものである。ここに、この所定時間の経過後に下限センサ２６がＯＦＦの状態のままとならないように、利用料金に応じたマスキング時間を設定することにより、搬送装置の異常などで下限センサ２６のＯＮのタイミングが遅れても、チャージタンク１４内の白米を略全量排出することができる。又、前記下限センサ２６に代えて、精米転子１８の回転駆動負荷を検出して、この負荷の大小によって精米タンク１２の玄米の有無を検出する負荷センサを設ける構成とすることもできる。
【００２１】
次に、精米後に研米する場合は、切替弁２５がチャージタンク１４へ流下案内するように切替えられていて、精米装置１１で精米された白米は、前記精米開始時に３０秒間にわたって駆動された繰出バルブ１５の停止された後、全玄米が精米されてチャージタンク１４内に収容貯留される。そして、精米タンク１２内の玄米が精米されて下限センサ２６がＯＦＦすると、前記繰出バルブ１５が駆動されてこのチャージタンク１４内の白米を繰出する。該下限センサ２６が玄米がなくなったことを検出して所定時間を経過すると、チャージタンク１４の白米が精米昇降機１０を経て精米タンク１２に還元供給されて精米室１８内で研米作用を受ける。
【００２２】
このとき、前行程の精米残留米は、この還元供給された白米によって押出されるが、研米開始時約３０秒間は切替弁２５がチャージタンク１４側へ流下案内するように維持さられ、この３０秒を経過すると切替弁２５を製品ホッパー５側へ流下案内するように切替えられ、研米を製品ホッパー５へ取出す。このチャージタンク１４の白米が全て精米タンク１２へ還元されて、この下限センサ２６がＯＦＦの状態になると、前記所定時間内は研米運転制御が継続されて、一旦切替弁２５をチャージタンク１４側へ流下案内するように切替えると共に、この研米された白米を繰出バルブ１５及び精米昇降機１０等を経て精米タンク１２内へ還元供給して補助白米として精米室１８内の研米残粒を押出すものである。
【００２３】
このようにして精米室１８内で処理された研米は、切替弁２５の製品ホッパー５への流下案内されるように切替えられて、この製品ホッパー５へ全て取出される。
【００２４】
又、玄米ホッパー４に供給される玄米量の一部だけ研米するときは、前記チャージタンク１４に切替収容する白米量を選定できる形態とする。切替弁２５の切替でチャージタンク１４内へ案内収容させた余りの精白米は、この切替弁２５の切替で製品ホッパー５へ取出す。この精米後にチャージタンク１４内の白米を精米タンク１２へ還元供給して精米作用を行わせる。
【００２５】
前記自動精米装置においては、操作盤６に試しボタン２７を設け（図５）、前記研米する研米コース利用前に利用者がこの試しボタン２７を選択すると少量の玄米を取込んで研米処理が行われる。この時、利用料金は１単価分引き落すが、繰出バルブ１５の運転時間の余りは最終コース選択時は追加する。利用者が研米コースで良ければ継続して研米コースボタンを選択して研米処理を行う。気に入らない場合は前記運転時間を加算して精米コースで処理を行う。米の性状等によって割れ易い米粒や、利用者が気に入らない場合であってもコースの再選択が可能となる。
【００２６】
この選択ボタンには、研米（おてがる）コースの選択ボタン２８と、精米コースの選択ボタン２９と、更に精白度を選択する選択ボタン３０、３１、３２等が設けられていて、研米（おてがる）コースの選択ボタン２８を押して精米と研米を行わせることができ、又これに代えて、試しコースの選択ボタン２７を押せば、前記少量の玄米の精米と研米が行われる。又、精米コースの選択ボタン３０を押すと上白米の精白度に仕上げられ、選択ボタン３１では標準の精白度となり、選択ボタン３２では８分搗きの精白度を指定できる。
【００２７】
又、図６のように研米（おてがる）コースの選択ボタン２８と、通常の精米のみ行う精米コース選択ボタン２９と、精米コースの精白度選択ボタン３０、３１、又は３２とを設けることができる。研米コースは研米ボタン２８のみの選択で研米処理を行い、精米コースは精米コースボタン２９と精白度ボタン３０、３１、又は３２を選択することにより起動させることができる。
【００２８】
図７においては、研米コースの選択ボタン２８と精米のみ行う精米コース選択ボタン２９と、各コースの仕上り選択ボタン３０、３１、３２、３３、３４、３５を有する。研米コースは、研米ボタン２８のみの選択で起動可能であるが、起動後仕上りボタン３３、３４、又は３５を押すことにより、研米処理時の圧力調整が選択可能となる。精米コースは、精米コースボタン２９と仕上りボタン３０、３１、又は３２を押すことにより起動して好みの精白度で精米が可能である。
【００２９】
研米コースにおいても仕上り選択可能である。古米などが投入された場合、研米コースでは米粒が割れて食味を落したり、精米量が著しく減ったりする。その場合、仕上りボタンを選択することにより研米時の圧力を低くして粒割れを防止できる。又、精米コースボタン２９のみの操作で「上白」を指定して起動し、起動後に他の「標準」、「８分」搗き等の精白度に切替選択可能に構成することもできる。
【００３０】
図２、図８に基づいて、前記仕切壁２には、チャージタンク１４内を透視できる確認窓３６を設けている。研米コース選択時に白米を貯留するためのチャージタンク１４内部を操作室３から作業者が直接透視して確認しながら作業できる。チャージタンク１４も透視可能な構成としている。このチャージタンク１４は仕切壁２に近い位置に設置されるため、このチャージタンク１４と略同高さ位置において、前記操作盤６の下側部に設けている。
【００３１】
前記操作盤６は、使用者識別可能なカードを用いることによって精米、又は研米を行うことができるように設定することができる。この場合、カード番号に基づいて精米や研米の条件を設定できるようにしたり、人体情報リーダによって検出した人体情報、人体情報が指紋、又は情報、又は顔情報、音声情報、又は、これら人体情報と音声情報等に基づいて、条件を設定したり、代金支払い決済等を可能な構成とすることができる。
【００３２】
又は、この場合、使用者識別情報が得られるまでは精米運転を開始しないように構成したり、規定時間以上使用者識別情報が得られない場合は、ビデオ撮影を行うように構成することによって、セキュリティシステムを構築することができる。又、規定時間以上使用者識別情報が得られない場合は、注意信号、警告信号、又は通報信号を発するように構成することもできる。又、精米装置の主電源が切断された場合でもビデオ録画又は使用者識別情報の取得が可能な構成とすることもできる。
【００３３】
前記自動精米装置１１では、この精米網１７等から漏下される糠を処理する除糠サイクロン装置３７が機械室１内に設けられるが、この機械室１のサイクロン３７から分離落下される糠を受ける糠受ボックス３８を構成し、糠受ボックス３８内に操作室３側から袋受ドア３９を開いて糠袋４０を挿入することにより、除糠を袋詰めすることができ、使用者はこの糠を持ち帰えることができる（図９）。仕切壁２の一部には糠受ボックス３８部に対向して下端の蝶番４１の周りに開閉可能の袋受ドア３９が設けられる。この袋受ドア全面、又は一部が透明材で形成されて内部を透視可能に構成し、ハンドル４２を有し、内側には糠袋を吊持する袋ホルダ４３を有する。糠受ボックス３８の上側にサイクロン３７の落下口４４が設けられ、底部は網棚４５が設けられ、この網棚４５の下側には操作室３側から取出可能の回収箱４６を設けている。
【００３４】
次に、図１０においては、玄米ホッパー４から供給された籾を繰出バルブ７と石抜昇降機８を経て籾摺装置４６へ供給して籾摺可能に構成し、この籾摺装置４６で籾摺された玄米を繰出バルブ４７を介して石抜装置９へ供給して、精米装置１１へ供給するように構成したものである。そして、これら各繰出バルブ７、４７を定量供給形態として、繰出バルブ４７による籾摺装置４６から石抜装置９への玄米供給量を、精米装置１１の流量検出値の略１．２倍になるように設定する。これによって、籾摺による籾穀除去や石抜選別等によって玄米量は減少するが、精米タンク１２における玄米貯留量を安定させることができる。
【００３５】
図１１に基づいて、利用料金を収納する金庫５０は建屋を構成する建屋部材５２、５３、５４を貫通して一体的に構成される。コインメック４８の下方に集金用ボックス４９を設け、集金時はこのボックス４９内からコインを集金する。又、集金するまでの間コインはコインメック４８の下方から集金用ボックス４９内を貫通し建屋の床面に至るまでの縦長筒状の金庫５０内に収納されている。集金時はこの金庫５０から集金ボックス４９内までコインをコインリフタ５１でリフトアップしてコイン受箱５５に集金する。このコインリフタ５１のリフトスイッチはキースイッチ等を用いて管理者のみが操作可能である。集金用ボックス４９の扉を開けてもコインの収納された金庫５０は容易には取出ができないため、盗難するのに長時間を要する。又、電源を切った場合はリフタ５１が作動しないため、コインを取出すためには更に長時間を要する。
【００３６】
図１２に基づいて、金庫５０を建屋ハウスＨの床５６下部に埋設して、この床５６構成部材と一体的にキー５７で固定する。コインメック４８との間はシュータ５８で連通させる。
【００３７】
図１３に基づいて、仕切壁２の金庫口５９の内側に箱型の金庫５０を上下方向の支持軸６０の周りに回動自在に設ける。この金庫口５９の一側には電動ロックピン６１が出没可能に設けられる。このロックピン６１は仕切壁２の内側面に沿って摺動するロックパネル６２と一体構成として作動される。金庫５０が金庫口５９の内側に位置するとロックピン６１をピン穴に嵌合させてロックさせることができる。又、金庫５０の奥側には開閉可能の蓋６３が設けられて、この蓋６３の開きによってコイン受箱５５を出し入れできる。ロックピン６１を外すことによって金庫５０を支持軸６０の周りに金庫口５９から前側Ｆへ回動させて、操作室３内へ開くことができる。この金庫５０を金庫口５９の内側へ収納させてロックピン６１で係合ロックした状態では、金庫口５９は金庫５０の背面壁部で閉鎖される。ロックピン６１の作動は電動的にスイッチ操作によって行なわれる。
【００３８】
精米時間と、製品ホッパー５に設ける製品シャッター６４（図３参照）の開放時間を比較して、製品ホッパー５の容量を超えて精米を継続しようとする場合は、一定の規制手段にて白米排出を規制して精米装置１１部の詰りを防止するものである。製品シャッターの開閉を検出する検出手段を設け、精米中の製品シャッター６４の開放時間を検出し、製品ホッパー５の容量を越えての精米継続を規制する。この規制手段としては、図１４に示すようなＡ手段とＢ手段とがある。Ａ手段では、前記コインメック４８に対するコインの投入を止めて、玄米ホッパー４からの玄米の繰り出しを停止する。この間に製品ホッパー５からの白米が取出されたことをシャッターセンサが検出すると、該コインの投入を行なって精米を継続させる。このとき、白米の取出が行なわれないときは、精米転子１６を駆動するモータＭ１の電流値が設定値に達しているか否かによって、設定値に達しているときは精米を強制的に停止する。又、Ｂ手段では、精米の全停止状態から精白度を示す白度ランプ３０、３１、又は３２の切替選択が可能であり、精米制御を継続することができる。このとき前回未処理時間を積算して運転が開始される。
【図面の簡単な説明】
【００３９】
【図１】精米装置の概略側面図。
【図２】その自動精米装置の平面配置図。
【図３】その一部の側面図。
【図４】その一部チャージタンク部の側面図。
【図５】その操作盤部の正面図。
【図６】その一部別実施例を示す正面図。
【図７】その一部別実施例を示す正面図。
【図８】その仕切壁部の正面図。
【図９】その糠受ボックス部の斜視図。
【図１０】一部別実施例を示す籾摺り精米装置の行程経路図。
【図１１】集金用ボックス、金庫部の正面図と、側面図。
【図１２】一部別実施例を示す金庫設置部の正面図と、側面図。
【図１３】一部別実施例を示す金庫設置部の平面作動図。
【図１４】精米の継続制御規制手段のフローチャート。
【符号の説明】
【００４０】
４    玄米ホッパー
５    製品ホッパー
６    操作盤
１０  精米昇降機
１１  精米装置
１２  精米タンク
１４  チャージタンク
１５  繰出バルブ
２５  切替弁
２６  下限センサ
【図１】
2005262102.tif 000003
【図２】
2005262102.tif 000004
【図３】
2005262102.tif 000005
【図４】
2005262102.tif 000006
【図５】
2005262102.tif 000007
【図６】
2005262102.tif 000008
【図７】
2005262102.tif 000009
【図８】
2005262102.tif 000010
【図９】
2005262102.tif 000011
【図１０】
2005262102.tif 000012
【図１１】
2005262102.tif 000013
【図１２】
2005262102.tif 000014
【図１３】
2005262102.tif 000015
【図１４】
2005262102.tif 000016